(57)【要約】【課題】コストをかけずに、冷蔵庫等から生じる漏れ水を吸水でき、洗濯脱水による再利用が可能で衛生上及び外観上好ましい吸水パッドを提供する【解決手段】本考案の吸水パッド１０を、積層した複数枚の吸水シート１２と、複数枚の吸水シート１２を中に収納した袋体１４とから構成した。吸水シート１２は、毛細管現象によって水を吸収する吸水性の高い繊維から形成した。袋体１４は、透液性を有し、例えば、ポリエチレンとポリエステルとを複合して形成した不織布から形成し、抗菌処理を施した。袋体１４は、水色又は青色等の色彩を有し、汚れた水を吸収しても汚れが目立たないように構成した。【選択図】図１
0003207196.tif 000002
【実用新案登録請求の範囲】
【請求項１】
積層した複数枚の吸水シートと、
前記複数枚の吸水シートを収納した透液性を有する袋体と、
を備えた吸水パッド。
【請求項２】
前記袋体に複数個の係合孔を設けた請求項１に記載する吸水パッド。
【請求項３】
洗濯脱水による再利用が可能な請求項１又は２に記載する吸水パッド。
【考案の詳細な説明】
【技術分野】
【０００１】
本考案は、冷蔵庫や冷蔵ショーケース等の下等の漏れ水を吸い取る吸水パッドに関する。
【背景技術】
【０００２】
従来から、スーパーマーケット等において、図１０に示すように、複数の商品１を入れて陳列した冷蔵ショーケース２が配備されている。冷蔵ショーケース２の水漏れや結露等により、漏れ水３が冷蔵ショーケース２の下方であって床４の上に溜まることがある。買物客が漏れ水３を踏むと床４の上で滑って危険である。一方、漏れ水３が溜まる場所に雑巾等を敷くのは、吸水量が不足して水が溢れ出ることが多く、また食品取扱場所に雑巾を設置するのは衛生上及び外観上好ましくない。
【０００３】
そこで、水漏れを防止することができる冷蔵庫について出願されている（特開２０１１−２４２０８３）。しかし、冷蔵庫自体を水漏れしないように改良するためには、冷蔵庫の構造の改良又は追加が必要となる。このため、冷蔵庫自体を水漏れしないように改良するには、多額のコストがかかる。
【先行技術文献】
【特許文献】
【０００４】
【特許文献１】特開２０１１−２４２０８３号公報
【考案の概要】
【考案が解決しようとする課題】
【０００５】
本考案の目的は、冷蔵庫や冷蔵ショーケース等から生じる漏れ水を吸水でき、洗濯脱水による再利用が可能で衛生上及び外観上好ましい吸水パッドを提供することにある。
【課題を解決するための手段】
【０００６】
本考案の吸水パッドは、積層した複数枚の吸水シートと、前記複数枚の吸水シートを収納した透液性を有する袋体と、を備えたことを特徴とする。
【０００７】
「透液性を有する」とは、水等の液体を透過させる材質であることを言う。
【０００８】
また、本考案の吸水パッドは、前記吸水パッドにおいて、前記袋体に複数個の係合孔を設けたことを特徴とする。
【０００９】
また、本考案の吸水パッドは、前記吸水パッドにおいて、洗濯脱水による再利用が可能であることを特徴とする。
【００１０】
また、本考案の吸水パッドは、前記吸水パッドにおいて、積層する複数枚の前記吸水シートを冷蔵庫又は冷蔵ショーケース等の形状に合わせて構成することを特徴とする。
【考案の効果】
【００１１】
本考案は、スーパーマーケット等の冷蔵庫等から生じる漏れ水を吸水でき、買物客が漏れ水を踏んで床の上で滑ることがなく、安全上好ましい。また、漏れ水を吸水するために床の上に雑巾等を敷く必要がなく、洗濯脱水が可能で衛生上及び外観上好ましい。
【００１２】
また、本考案において袋体に複数個の係合孔を設けた場合、マグネットフック等を係合孔に係合して位置を固定でき、又は、乾燥時に係合孔をフックにかけて効率よく乾燥できる。
【００１３】
また、本考案において、積層する複数枚の吸水シートを冷蔵庫又は冷蔵ショーケース等の形状に合わせて構成した場合、例えば、積層する複数枚の吸水シートの中で、上部の一定枚数の吸水シートの幅を他の一定枚数の吸水シートの幅よりも短く構成した場合、吸水シートの全量を変更しないことで、吸水性能を維持できる。
【００１４】
また、本考案は、後述するように、試験の結果、洗濯脱水により再利用可能であった。このため、廃棄物の低減につながる。
【図面の簡単な説明】
【００１５】
【図１】本考案の吸水パッドの斜視図である。
【図２】図１の吸水パッドの断面図である。
【図３】図１の吸水パッドの製造方法を説明するための斜視図である。
【図４】図１の吸水パッドの製造方法を説明するための平面図である。
【図５】図１の吸水パッドの使用状態を説明するための図であり、同図（ａ）は側面図であり、同図（ｂ）は吸水パッドに取り付けるフックを示す斜視図である。
【図６】本考案の他の実施形態を示す図であり、同図（ａ）は断面図であり、同図（ｂ）は使用状態を説明するための側面図である。
【図７】本考案の更に他の実施形態を示す図であり、同図（ａ）は断面図であり、同図（ｂ）は使用状態を説明するための側面図である。
【図８】本考案の更に他の実施形態を示す図であり、同図（ａ）は断面図であり、同図（ｂ）は使用状態を説明するための側面図である。
【図９】本考案の更に他の実施形態を示す斜視図である。
【図１０】スーパーマーケットの冷蔵庫から生じる漏れ水が床に溜まっている状態を示す側面図である。
【考案を実施するための形態】
【００１６】
本考案の吸水パッドについて図面に基づいて説明する。図１〜図５において、符号１０は、本考案の吸水パッドである。
【００１７】
（吸水パッド）
吸水パッド１０は、図１及び図２に示すように、積層した複数枚の吸水シート１２と、複数枚の吸水シート１２を収納した袋体１４とから構成される。
【００１８】
（吸水シート）
吸水シート１２の材質は、毛細管現象によって水を吸収する吸水性の高い繊維である。吸水シート１２の材質は、例えば、コットン１００パーセントの不織布である。本発明者は、市販の不織布（製造会社名：ユニチカ株式会社、商品名：C100S/A01、目付：１００ｇ／ｍ２）を加工して使用した。吸水シート１２の材質は吸水性の高いものであれば、紙等であってもよい。吸水シート１２の枚数は特に限定されない。
【００１９】
（袋体）
袋体１４の材質は、透液性を有し、水を透すことができれば、特に限定されない。袋体１４は、例えば、ポリエチレンとポリエステルとを複合して形成した不織布から形成される。袋体１４は、樹脂製のメッシュであってもよい。袋体１４には、抗菌処理を施すこともできる。袋体１４は、水色又は青色等の色彩を有し、汚れた水を吸収しても汚れが目立たないように構成されている。
【００２０】
（吸水パッドの製造）
吸水パッド１０の製造方法を以下に説明する。
【００２１】
（袋体の製造）
まず、図３に２点鎖線で示すように、長方形に切断した不織布１５を、二つ折りにして合わせる。折り合わせた長辺１６に沿って溶着具を移動させて長辺１６に沿って溶着する。また、一の短辺１８に沿って溶着具を移動させて一の短辺１８に沿って溶着する。これにより、図３に実線で示すように、長辺１６に沿った溶着縁２２及び一の短辺１８に沿った溶着縁２４が形成され、長方形の不織布が他の短辺２０を開口部とする袋体１４が形成される。なお、長辺１６、一の短辺１８及び他の短辺２０に沿って接着剤で接着し、又は縫い合わせることによって袋体１４を形成してもよい。
【００２２】
（吸水シートの製造及び袋体への収納等）
次に、吸水性の高い不織布を長方形の短冊状に切断して複数枚の吸水シート１２を形成する。複数枚の吸水シート１２は同一寸法である。複数枚の吸水シート１２は、図２に示すように、幅方向一端３６及び幅方向他端３８を、幅方向において揃えて積層する。積層した複数枚の吸水シート１２を袋体１４の他の短辺２０（図３に示す）から挿入する。複数枚の吸水シート１２は、図２に示すように、袋体１４内に収納される。次に、他の短辺２０に沿って溶着具を移動させて他の短辺２０に沿って溶着する。これにより、図４に示すように、溶着縁２６が形成され、袋体１４が吸水シート１２を収納した状態で閉塞される。溶着縁２２には、図５（ｂ）に示すマグネットフック３０を係合する係合孔３４（図４に示す）が設けられる。
【００２３】
（吸水パッドの作用効果）
本考案の吸水パッド１０は、スーパーマーケット等において、図５（ａ）に示すように、漏れ水３の生じるおそれのある冷蔵ショーケース２の下方であって床４の上に定置される。図５（ｂ）に示すフック３０のマグネット２８が冷蔵ショーケース２の下部に付着され、係合ピン３２が吸水パッド１０の係合孔３４に係合される。これにより、仮にスーパーマーケットの買物客が蹴ったり踏んだりしても、漏れ水３の溜まる位置から吸水パッド１０の位置が変わることはない。
【００２４】
冷蔵ショーケース２の水漏れや結露等により、漏れ水３が冷蔵ショーケース２の下方であって床４の上に垂れた場合、図５（ａ）に示すように、漏れ水３が垂れた位置に吸水パッド１０が定置されており、漏れ水３は透液性を有する袋体１４を透過して積層された複数枚の吸水シート１２の中の下部付近の吸水シート１２に達する。下部付近の吸水シート１２に達した漏れ水３は、図２に２点鎖線で示すように、毛細管現象により上昇し、複数枚の吸水シート１２の中の上部付近の吸水シート１２に達する。このため、吸水パッド１０の略全体に漏れ水３が行き渡り、漏れ水３が一定量以下であれば、全ての漏れ水３が吸水パッド１０に吸水される。なお、本考案者は、床４上の漏れ水３の上に吸水パッド１０を置き、吸水状態を確認した結果、積層された複数枚の吸水シート１２の中の最上部の吸水シート１２まで漏れ水３が達しているのを確認した。吸水パッド１０が吸水できる水の量については、後述の「試験結果」で述べる。
【００２５】
全ての漏れ水３が吸水パッド１０に吸水されることにより、買物客が漏れ水３を踏んで床４の上で滑ることがなく、安全上好ましい。また、漏れ水３を吸水するために床４の上に雑巾等を敷く必要がなく、外観上好ましい。また、漏れ水３が垂れるのを防止するために冷蔵ショーケース２を改良する必要がなく、漏れ水３が溜まった状態が維持されるのを防止するためのコストがかかることはない。
【００２６】
（試験結果）
本考案者は、不織布（製造会社名：ユニチカ株式会社、商品名：C100S/A01、目付：１００ｇ／ｍ２）を切断し、幅７cm長さ１００cmの４０枚の吸水シート１２を形成し、ポリエチレンとポリエステルとを複合して形成した不織布から形成した袋体１４に４０枚の吸水シート１２を収納して吸水パッド１０の吸水試験を行った。バケツに水２５００ccを入れて、吸水パッド１０をバケツ内に入れて３０秒後にバケツから出した結果、２５００ccの水は全て吸水パッド１０に吸水されていた。このため、単位面積（幅１cm長さ１cm）の吸水シート１２一枚あたり、約０．０８９ccの水を吸水できる。また、本考案者は、上記のように吸水を行った吸水パッド１０を脱水機で脱水した直後に、吸水試験を行った。その結果、２０００ccの水を吸水することができた。このため、吸水パッド１０は何度も使用できる。この場合、単位面積（幅１cm長さ１cm）の吸水シート１２一枚あたり、約０．０７１ccの水を吸水できる。予想される漏れ水３の量に応じて、吸水シート１２の寸法及び枚数を決定すれば、全ての漏れ水３を吸水できる。
【００２７】
以上、本考案の実施形態について説明したが、本考案は上述の実施形態に限定されない。
【００２８】
（変形例１）
本考案は、図６（ａ）に示すように、積層する複数枚の吸水シート１２を上にいくに従って幅を短く構成してもよい。複数枚の吸水シート１２の幅方向一端３６を幅方向において揃えることにより、複数枚の吸水シート１２の幅方向他端３８は上にいくに従って幅方向一端３６の方へずれる。複数枚の吸水シート１２を収納した袋体１４は、複数枚の吸水シート１２の幅方向他端３８に沿った斜面４０が形成される。複数枚の吸水シート１２の幅を上にいくに従って短くする比率を変えることにより、斜面４０の角度を変えることができる。複数枚の吸水シート１２を上にいくに従って短くする幅の比率を調節することにより、外側面の下部に斜面４２を有する図６（ｂ）に示す冷蔵ショーケース２に対応して、吸水パッド１０の斜面４０の角度が冷蔵ショーケース２の斜面４２の角度と略同じになるように構成することができる。これにより、斜面４２を有する冷蔵ショーケース２の下へ、吸水パッド１０をより深く入り込ませることができ、外観上より好ましい。
【００２９】
（変形例２）
本考案は、図７（ａ）に示すように、積層する複数枚の吸水シート１２の中で、略上半分の吸水シート１２（上部の一定枚数の吸水シート）の幅を略下半分の吸水シート１２（他の一定枚数の吸水シート）の幅よりも短く構成してもよい。全ての吸水シート１２の幅方向一端３６を、幅方向において揃えることにより、略上半分の吸水シート１２の幅方向他端３８は、略下半分の吸水シート１２よりも幅方向一端３６の方へずれる。全ての吸水シート１２を収納した袋体１４には、略下半分の吸水シート１２の幅方向他端３８に沿った凹部空間４４が形成される。外側面の下部に斜面４２（図６（ｂ）に示す）を有しない図７（ｂ）に示す冷蔵ショーケース２の下に、凹部空間４４を入り込ませることができる。このため、外側面の下部に斜面４２を有しない冷蔵ショーケース２であっても、冷蔵ショーケース２の下へ、吸水パッド１０をより深く入り込ませることができ、外観上より好ましい。また、冷蔵ショーケース２の下へ吸水パッド１０をより深く入り込ませることにより、吸水パッド１０を買い物客が蹴って吸水パッド１０の位置が変わる可能性が少なくなるため、図５に示すマグネットフック３０を使用する必要がない。
【００３０】
（変形例３）
本考案は、図８（ａ）に示すように、積層する複数枚の吸水シート１２を上にいくに従って幅を短く構成し、複数枚の吸水シート１２の幅方向中心を幅方向において揃えてもよい。複数枚の吸水シート１２の幅方向他端３８は上にいくに従って幅方向一端３６の方へずれ、幅方向一端３６は上にいくに従って幅方向他端３８の方へずれる。複数枚の吸水シート１２を収納した袋体１４は、複数枚の吸水シート１２の幅方向一端３６及び幅方向他端３８に沿った二つの斜面４０が形成される。複数枚の吸水シート１２の幅を上にいくに従って短くする比率を変えることにより、二つの斜面４０の角度を変えることができる。複数枚の吸水シート１２を上にいくに従って短くする幅の比率を調節することにより、外側面の下部に斜面４２を有する図８（ｂ）に示す２個の冷蔵ショーケース２に対応して、吸水パッド１０の斜面４０の角度が２個の冷蔵ショーケース２の斜面４２の角度と略同じになるように構成することができる。これにより、斜面４２を有し２個配列された冷蔵ショーケース２同士の隙間の下へ、吸水パッド１０を入り込ませることができる。２個の冷蔵ショーケース２から生じる漏れ水３を１個の吸水パッド１０によって吸水できる。
【００３１】
（変形例４）
本考案の吸水パッド１０の製造方法は上述の方法に限定されない。例えば、図９に示すように、複数枚の吸水シート１２を積層した後、複数枚の吸水シート１２を長方形に切断した不織布１５上に載置し、不織布１５を二つ折りにして複数枚の吸水シート１２を包み込んだ後に、折り合わせた長辺１６、一の短辺１８及び他の短辺２０に沿って溶着して袋体１４を形成してもよい。複数枚の吸水シート１２を袋体１４内に容易に収納できる。
【００３２】
その他、本考案は、その主旨を逸脱しない範囲で当業者の知識に基づき種々の改良、修正、変更を加えた態様で実施できるものである。例えば、本考案の吸水パッドは、冷蔵庫や冷蔵ショーケースから生じる漏れ水を吸水することに限定されない。例えば、家庭の流し台から生じる漏れ水を吸水してもよい。
【符号の説明】
【００３３】
２：冷蔵ショーケース
３：漏れ水
４：床
１０：吸水パッド
１２：吸水シート
１４：袋体
１６：長辺
１８、２０：短辺
２２、２４、２６：溶着縁
２８：マグネット
３０：フック
３２：係合ピン
３４：係合孔
【図１】
0003207196.tif 000003
【図２】
0003207196.tif 000004
【図３】
0003207196.tif 000005
【図４】
0003207196.tif 000006
【図５】
0003207196.tif 000007
【図６】
0003207196.tif 000008
【図７】
0003207196.tif 000009
【図８】
0003207196.tif 000010
【図９】
0003207196.tif 000011
【図１０】
0003207196.tif 000012